(57)【要約】 【課題】樹脂製の眼鏡フレームに固定されるパッド取付具を、製造コストの低減を図って製造可能とすると共に細身の眼鏡フレームに対しても体裁よく固定可能とする。【解決手段】金属線材を屈曲して形成されたアーム片２と回り止め片３とを具える。アーム片２は、その一端部分が、眼鏡フレーム５に埋設される止着軸部１１とされると共に他端にはパッド１０の取付け部１２が設けられている。回り止め片３は、眼鏡フレーム５に埋設される回り止め軸部３２が、止着軸部１１と略平行しており、回り止め軸部３２の内端側が止着軸部１１にロウ付けされている。【選択図】図３
0003111109.tif 000002
【実用新案登録請求の範囲】
【請求項１】
金属線材を屈曲して形成されたアーム片と、該金属線材と略同径の金属線材を用いて形成された回り止め片とを具え、該アーム片は、一端部分が、眼鏡フレームに埋設される直線状の止着軸部とされると共に、他端にはパッドの取付け部が設けられており、又前記回り止め片は、前記眼鏡フレームに埋設される直線状の回り止め軸部を、前記止着軸部と所要間隔を隔てて略平行する如く有し、該回り止め軸部の内端側に設けられた固定部が前記止着軸部の内端側に設けられた被固定部に固設されていることを特徴とする眼鏡用パッド取付具。
【請求項２】
金属線材を屈曲して形成されたアーム片と、該金属線材と略同径の金属線材を用いて形成された回り止め片とを具え、該アーム片は、一端部分が、眼鏡フレームに埋設される直線状の止着軸部とされると共に、他端にはパッドの取付け部が設けられており、又前記回り止め片は、前記眼鏡フレームに埋設される直線状の回り止め軸部を、前記止着軸部と所要間隔を隔てて略平行する如く有し、該回り止め軸部の内端側に設けられた固定部が前記止着軸部の内端側に設けられた被固定部にロウ付されていることを特徴とする眼鏡用パッド取付具。
【請求項３】
前記回り止め軸部が、前記止着軸部の下側に所要間隔を隔てて位置し、該回り止め軸部の内端側に設けられた前記固定部が、前記止着軸部の内端側に設けられた前記被固定部の下面に固設されていることを特徴とする請求項１又は２記載の眼鏡用パッド取付具。
【請求項４】
前記回り止め軸部が、前記止着軸部の上側に所要間隔を隔てて位置し、該回り止め軸部の内端側に設けられた前記固定部が、前記止着軸部の内端側に設けられた前記被固定部の上面に固設されていることを特徴とする請求項１又は２記載の眼鏡用パッド取付具。
【請求項５】
前記回り止め片は、前記回り止め軸部の内端に、上方に屈曲する屈曲片を連設してなるＬ字状を呈しており、該屈曲片の上端としての前記固定部が前記被固定部の下面に固設されていることを特徴とする請求項１又は２記載の眼鏡用パッド取付具。
【請求項６】
前記回り止め片は、前記回り止め軸部の内端に、下方に屈曲する屈曲片を連設してなるＬ字状を呈しており、該屈曲片の下端としての前記固定部が前記被固定部の上面に固設されていることを特徴とする請求項１又は２記載の眼鏡用パッド取付具。
【考案の詳細な説明】
【技術分野】
【０００１】
本考案は、眼鏡フレームに固定されて該眼鏡フレームにパッドを取り付けるために用いられる眼鏡用パッド取付具に関するものである。
【背景技術】
【０００２】
樹脂製の眼鏡フレームにパッドを取り付けるために用いられるパッド取付具の一例として、実開昭４９−１１７８４８号公報の第２図に記載のものが提案されている。該パッド取付具は、パッドを取り付けるためのアーム片の一端に台座片を固定すると共に、該台座片の上下に止着軸を突設してなり、該止着軸を眼鏡フレームに埋設することによって該眼鏡フレームに固定される構成のものであった。
【０００３】
図１５〜１７は、当業界で一般的に使用されているパッド取付具ａを示すものであり、パッドｂを取り付けるためのアーム片ｃの一端に台座片ｄを固定すると共に、眼鏡フレームｅに埋設される軸部ｆ，ｇを該台座片ｄの上下に突設した点で、前記公報の第２図に記載のものと構成上共通している。
【０００４】
図１５〜１６に示すパッド取付具ａの構成をより具体的に説明すれば、台座片ｄの一面ｈの上下の中央部位に、眼鏡フレームｅに埋設される上下の軸部ｆ，ｇがその基端ｊ，ｋでロウ付されると共に、前記台座片ｄの他面ｍの中央部位に、例えば箱状のパッド取付け部ｎが下端に設けられてなるアーム片ｃの上端ｐがロウ付されていた。そして図１８に示すように、前記台座片ｄの横幅Ｌ１は、前記上下の軸部ｆ，ｇの横幅（直径）Ｌ２及び前記アーム片ｃの横幅（直径）Ｌ３よりも大きく形成されていた。
【０００５】
かかる構成のパッド取付具ａは、図１７、図１９に示すように、前記上下の軸部ｆ，ｇを、眼鏡フレームｅのレンズ保持枠部ｒの内側枠部ｓの背面ｔの所要部位に設けた上下の止着孔ｕ，ｖに圧入状態に埋設し、且つ前記台座片ｄを前記眼鏡フレームｅの前記背面ｔに当接させることにより、図１７に示すように、前記眼鏡フレームｅに抜け止めと回り止めが図られて固定され、前記箱状のパッド取付け部ｎに前記パッドｂが取り付けられるものであった。
【０００６】
かかる構成のパッド取付具ａは、軸部が上下２本であるために、眼鏡フレームｅに対する固定強度が高く、又、確実な回り止めを図り得る利点を有してはいたが、次のような問題点があった。即ち、
【０００７】
(1) 該パッド取付具ａは前記のように、前記台座片ｄに対する上下の軸部ｆ，ｇと前記アーム片ｃの固定のために合計３箇所のロウ付を必要としたため、パッド取付具ａの止着部分の製作に多くの手間を要し、製造コストの上昇を招いてパッド取付具が高価に付く問題があった。
【０００８】
(2) 又、このようにロウ付箇所が多いことからロウ離れが生じやすい欠点があった。特に、パッドの調整に際してアーム片ｃを屈曲させたとき、該アーム片ｃの台座片ｄに対するロウ付部分に荷重が集中してロウ離れが生じ易い問題があったのである。
【０００９】
(3) 更に、前記上下の軸部ｆ，ｇやアーム片ｃをロウ付するために、横幅Ｌ１の大きい台座片ｄを必須とした。そのため、前記上下の軸部ｆ，ｇが埋設される部分の横幅、即ち前記眼鏡フレームｅのレンズ保持枠部ｒの内側枠部ｓの横幅は、前記台座片ｄの横幅と等しいかそれ以上に設定されていなければならないことになる。もしも、該レンズ保持枠部ｒの横幅が前記台座片ｄの横幅よりも小さいと、図２０に示すように、該台座片ｄの一部分ｗがレンズ保持枠部ｒの縁部ｙから突出する部分が生ずることになり、眼鏡の美観を著しく損なうことになるからである。このように前記従来のパッド取付具は、ある程度の横幅を有するレンズ保持枠部を具えた眼鏡フレームに対してしか使用できず、対象となる眼鏡フレームに制約があり、レンズ保持枠部の幅が小さく形成された細身の眼鏡フレームに対する需要に応じられない欠点があったのである。
【００１０】
【特許文献１】実開昭４９−１１７８４８号公報（１−２頁、第２図）
【考案の開示】
【考案が解決しようとする課題】
【００１１】
本考案は、前記従来の問題点に鑑みて開発されたものであり、眼鏡フレームにガタツキなく確実に固定できるのはもとより、製造コストの低減を期し得ると共に、細身の眼鏡フレームに対しても体裁よく固定できる眼鏡用パッド取付具の提供を課題とするものである。
【課題を解決するための手段】
【００１２】
前記課題を解決するため、本考案は以下の手段を採用をする。
即ち、本考案に係る眼鏡パッド取付具ａは、金属線材を屈曲して形成されたアーム片と、該金属線材と略同径の金属線材を用いて形成された回り止め片とを具え、該アーム片は、その一端部分が、眼鏡フレームに埋設される直線状の止着軸部とされると共に、その他端にはパッドの取付け部が設けられており、又前記回り止め片は、前記眼鏡フレームに埋設される直線状の回り止め軸部を、前記止着軸部と所要間隔を隔てて略平行する如く有し、該回り止め軸部の内端側に設けられた固定部が前記止着軸部の内端側に設けられた被固定部にロウ付や溶着等によって固設されていることを特徴とするものである。
【００１３】
前記眼鏡用パッド取付具において、前記回り止め軸部を、前記止着軸部の下側に所要間隔を隔てて位置させ、該回り止め軸部の内端側に設けられた前記固定部を、前記止着軸部の内端側に設けられた前記被固定部の下面に固設するのがよい。該回り止め軸部は、前記止着軸部の上側に所要間隔を隔てて位置させ、該回り止め軸部の内端側に設けられた前記固定部を、前記止着軸部の内端側に設けられた前記被固定部の上面に固設することもできる。
【００１４】
前記回り止め片は、前記回り止め軸部の内端に、上方に屈曲する屈曲片を連設してなるＬ字状に形成し、該屈曲片の上端としての前記固定部を前記被固定部の下面に固設するのがよい。又該前記回り止め片は、前記回り止め軸部の内端に、下方に屈曲する屈曲片を連設してなるＬ字状に形成し、該屈曲片の下端としての前記固定部を前記被固定部の上面に固設するのがよい。
【考案の効果】
【００１５】
本考案に係るパッド取付具は、眼鏡フレームに埋設された止着軸部と回り止め軸部とによって、パッド取付具の止着の安定性を確保できると共に、アーム片の回り止めを確実に図り得ることに加え、以下の如き優れた効果を奏する。
【００１６】
(1) 本考案に係るパッド取付具は、回り止め軸部の内端側に設けられた固定部を止着軸部の内端側に設けられた被固定部に固設する構成を採用しているため、所要間隔を隔てて略平行する止着軸部と回り止め軸部を、一箇所の固設（例えばロウ付）により行うことができる。従って、台座片を具える前記従来のパッド取付具におけるような何箇所ものロウ付等の固設が不要となるため、パッド取付具の止着部をシンプルに構成でき、パッド取付具の製造コストの低減を期し得る。又、固設箇所が少ないことからロウ離れ等の固設部損傷を生じさせにくい。
【００１７】
(2) 又本考案に係るパッド取付具は、回り止め軸部の内端側に設けられた固定部を止着軸部の内端側に設けられた被固定部に固設する構成を採用しているため、所要間隔を隔てて略平行する止着軸部と回り止め軸部を、従来のような横幅の大きい台座片を用いることなく構成でき、従って、止着部分を横幅の小さいものとなし得る。かかることから本考案によるときは、パッド取付具を、細身の眼鏡フレームに対しても、レンズ保持枠部の幅の範囲に納まるように体裁よく止着できる。
台座片を具える従来のパッド取付具によるときは、このような細身の眼鏡フレームにパッド取付具を止着したときに、図２０に示すように、台座片がレンズ保持枠部の縁部から突出してしまう不具合が生じたのであるが、本考案によるときは、かかる不具合を発生させることなくパッド取付具を体裁よく止着できるのである。
【００１８】
(3) 又本考案に係るパッド取付具は、止着軸部を含むアーム片の全体が金属線材を屈曲して一連に形成されているため、眼鏡フレームにパッド取付具を止着して後に、取付け部に取り付けられたパッドの調整に際してアーム片を屈曲させたときも、該アーム片が止着軸部の内端側で折損する恐れなく該パッドの調整を確実に行うことができる。
【実施例１】
【００１９】
図１において、本考案に係る眼鏡用パッド取付具（以下パッド取付具という）１は、金属線材を屈曲して形成されたアーム片２に、該金属線材と略同径の金属線材を用いて形成された回り止め片３を固設してなり、例えば図２〜３に示すように、アセテート等の合成樹脂製の眼鏡フレーム５の環状のレンズ保持枠部６の内側枠部７の背面９に止着されるもので、該眼鏡フレーム５に、図３に示すようにパッド１０を取り付けるために用いられるものである。
【００２０】
該アーム片２は、βチタン等のチタンや洋白、モネル等の、眼鏡素材として一般に使用されている金属の丸線材（例えば直径が１．２ｍｍ）を屈曲して形成されており、その一端部分が、直線状の止着軸部１１とされると共に、その他端には、前記パッド１０の取付け部１２が設けられている。
【００２１】
より具体的には、前記止着軸部１１を含む略水平な直線状の部分１３の前端に水平のＵ字状屈曲部１５が連設されており、該Ｕ字状屈曲部１５の前端で、垂下片部１６が下向きに連設されている。そして該垂下片部１６の下端が、前記パッド１０の取付け部１２としての箱状取付け部１２ａの上面２０にロウ付されている。前記止着軸部１１は、図２〜４に示すように、前記内側枠部７の背面の上下に設けられた止着孔２１，２２の内の上の止着孔２１に押し込まれて前記眼鏡フレーム５に埋設されるものである。そして前記箱状取付け部１２ａは、図４に示すように、前記パッド１０の裏面で突設された連結突部２３を遊嵌させ得る収容凹所２４を具えた立方体箱状を呈し、その対向側面部２５，２６には、前記連結突部２３に設けられた通孔２７と位置合わせしてビス２９を取り付けるためのネジ孔３０，３１が設けられている。
【００２２】
又前記回り止め片３は、図１〜３に示すように、前記下の止着孔２２に押し込まれて前記眼鏡フレーム５に埋設される直線状の回り止め軸部３２を、前記止着軸部１１の下側に所要間隔を隔てて（例えば３ｍｍ程度の間隔を隔てて）、該止着軸部１１と略平行する如く有しており、該回り止め軸部３２の内端側に設けられた固定部３３が前記止着軸部１１の内端側に設けられた被固定部３５に、例えばロウ付により固設されている。
【００２３】
該回り止め片３は、本実施例においては図１〜２に示すように、前記回り止め軸部３２の内端に、上方に屈曲する屈曲片３６を連設してなるＬ字状を呈しており、該屈曲片３６の上端としての前記固定部３３が前記被固定部３５の下面３７に例えばロウ付により固設されている。なお該固定部３３は、ロウ付面積をより大きく確保して固設強度を向上させるために、図２に示すように、前記止着軸部１１の内方に向けて若干屈曲させるのがよい。そして前記止着軸部１１と前記回り止め軸部３２の夫々の中間部分が左右側から押し潰されて、係合凹部３９，３９が形成されている。
【００２４】
図２〜３、図５は、かかる構成を有するパッド取付具１を前記眼鏡フレーム５に止着した状態を示すものである。この止着は、例えば図４〜５に示すように、眼鏡フレーム５の前記内側枠部７の背面の上下に設けた前記止着孔２１，２２に前記止着軸部１１と回り止め軸部３２を押し込むことにより、該止着軸部１１と回り止め軸部３２を眼鏡フレーム５に埋設して行う。なお、前記上下の止着孔２１，２２は、前記丸線材の直径が１．２ｍｍであることに鑑み、これよりも若干小径の１．１８ｍｍとしている。このように押し込むことにより、前記止着孔２１，２２の内周面部分の樹脂が前記係合凹部３９，３９に食い込み、該止着軸部１１及び回り止め軸部３２が確実に抜け止めされ、且つ該回り止め片３による回り止め作用によって、止着されたアーム片２の回り止めが確実に図られるのである。
【００２５】
前記構成のパッド取付具１を止着できる眼鏡フレーム５は、前記上下の止着孔２１，２２を所要に形成できるものでありさえすれば、レンズ保持枠部６がより細身のものであってもよい。図６は、図３、図５に示す眼鏡フレーム５よりも細身のレンズ保持枠部６を具える眼鏡フレーム５にパッド取付具１を止着した状態を示すものである。
【００２６】
特に本実施例においては、図１に示すように、前記回り止め軸部３２が前記止着軸部１１の下側に配置されているため、図５〜６に示すように、眼鏡を背面側から見たときに、前記屈曲片３６が前記垂下片部１６やパッド１０に隠された状態になったり、これらと略重なった状態になって、目立ちにくい。
【００２７】
このようにして眼鏡フレーム５にパッド取付具１を止着した後、前記箱状取付け部１２ａにパッド１０を取り付ける。この取り付けは、該パッド１０に突設された前記連結突部２３を該箱状取付け部１２ａの収容凹所２４に遊嵌して後、該連結突部２３に設けられた前記通孔２７と前記ネジ孔３０，３１にビス２９を挿通し螺締して行う。その後、前記アーム片２の中間部分を適宜屈曲してパッド１０の調整を行うのであるが、該アーム片２の全体が金属線材を屈曲して形成されていて前記止着軸部１１がロウ付されたものではないため、アーム片２の折損を招くことなくパッドの調整を確実に行うことができる。
【実施例２】
【００２８】
本考案は、前記実施例で示したものに限定されるものでは決してなく、「実用新案登録請求の範囲」の記載内で種々の設計変更が可能であることはいうまでもない。その一例を挙げれば次のようである。                                                          
【００２９】
(1) 図７に示すパッド取付具１は、回り止め片３を構成する回り止め軸部３２が、前記止着軸部１１の上側に所要間隔を隔てて配置されており、該回り止め軸部３２の内端側に設けられた固定部３３が、前記止着軸部１１の内端側に設けられた被固定部３５の上面４０に固設されている。該回り止め片３は、本実施例においては、前記回り止め軸部３２の内端に、下方に延長する屈曲片４１を連設してなるＬ字状を呈しており、該屈曲片４１の下端としての前記固定部３３が前記止着軸部１１の内方に向けて屈曲され、該屈曲した固定部３３が前記被固定部３５の上面にロウ付等の手段で固設されることにより、止着軸部１１と回り止め軸部３２とが略平行する如く設けられている。
図８は、かかる構成を有するパッド取付具１を眼鏡フレーム５のレンズ保持枠部６に止着した状態を示すものである。該レンズ保持枠部６は、本実施例においては、その内側枠部７の下側部分４２が上側部分４３よりも細く形成されている。このような場合は、回り止め軸部３２が止着軸部１１の下側に設けられた前記パッド取付具１を眼鏡フレームに固定しようとしても、前記細い下側部分４２に、下の止着孔２２を形成できないか形成しにくい。そのため、このような場合は、回り止め軸部３２が止着軸部１１の上側に設けられた前記パッド取付具１が好都合なのである。
【００３０】
(2) 図９は、本考案に係るパッド取付具１のその他の実施例を示すものであり、前記アーム片２の一端寄り部位において、下方に屈曲する下屈曲部４５を形成すると共に、該下屈曲部４５の下端で、直線状を呈する止着軸部１１を屈曲形成した構成を有している。そして前記回り止め片３は、直線状の回り止め軸部３２を以って構成され、該回り止め軸部３２の内端側に設けられた固定部３３が前記下屈曲部４５の上端としての被固定部３５にロウ付により固設されることにより、止着軸部１１と回り止め軸部３２が略平行する如く設けられている。
【００３１】
(3) 図１０は、本考案に係るパッド取付具１のその他の実施例を示すものであり、前記アーム片２の一端寄り部位において、上方に屈曲する上屈曲部４６を形成すると共に、該上屈曲部４６の上端で、直線状を呈する止着軸部１１を屈曲形成した構成を有している。そして前記回り止め片３は、直線状の回り止め軸部３２を以って構成され、該回り止め軸部３２の内端側に設けられた固定部３３が前記上屈曲部４６の下端としての被固定部３５にロウ付により固設されることにより、止着軸部１１と回り止め軸部３２が略平行する如く設けられている。
【００３２】
(4) 図１１は、本考案に係るパッド取付具１のその他の実施例を示すものであり、前記アーム片２の一端寄り部位において、下方に屈曲する下屈曲部４７を形成すると共に、該下屈曲部４７の下端で、直線状を呈する止着軸部１１を屈曲形成した構成を有している。そして前記回り止め片３は、直線状の回り止め軸部３２の内端に、下方に屈曲する屈曲片４８を連設してなるＬ字状を呈しており、該屈曲片４８の下端としての前記固定部３３が前記被固定部３５の上面４９にロウ付により固設されることによって、止着軸部１１と回り止め軸部３２とが略平行する如く設けられている。
【００３３】
(5) 図１２は、本考案に係るパッド取付具１のその他の実施例を示すものであり、前記アーム片２の一端寄り部位において、上方に屈曲する上屈曲部５０を形成すると共に、該上屈曲部５０の上端で、直線状を呈する止着軸部１１を屈曲形成した構成を有している。そして前記回り止め片３は、直線状の回り止め軸部３２の内端に、上方に屈曲する屈曲片５１を連設してなるＬ字状を呈しており、該屈曲片５１の上端としての前記固定部３３が前記被固定部３５の下面５２にロウ付により固設されることによって、止着軸部１１と回り止め軸部３２とが略平行する如く設けられている。
【００３４】
(6) 前記止着軸部１１と所要間隔を隔てて略平行する如く設けられる前記回り止め軸部３２は、前記したように止着軸部１１の上側又は下側に設けられることの他、斜め下方や斜め上方に所要間隔を隔てて略平行する如く設けられることもある。
【００３５】
(7) 前記アーム片２は、その一端部分が止着軸部１１とされると共に、その他端にパッド１０の取付け部１７が設けられるものであれば、該止着軸部１１と取付け部１７との間の部分は、例えば図１３に示すように、前記止着軸部１１の内端又は該止着軸部１１を含む直線状の部分の内端で、垂下状態又は斜め下方に向けて屈曲する立下がり片部５３を連設してなるＬ字状を呈する如く構成されることもある。その他、上に凸のＵ字状等の屈曲部分を有する如く形成してもよい。又前記取付け部１７の形態は、前記した箱状取付け部としての他、パッドを取り付けるのに適した各種形態に構成され得る。
【００３６】
(8) 本考案に係るパッド取付具１が止着される眼鏡フレーム５は、図３に示すような環状のレンズ保持枠部を具えるものとして構成されることの他、図１４に示すような、コード５５でレンズ５６を保持する所謂縁無し眼鏡フレームとしても構成され得る。
【００３７】
(9) 前記止着軸部１１や回り止め軸部３２を前記止着孔２１，２２に押し込む際、これらを加熱状態にして押し込むこともある。
【００３８】
(10)前記回り止め軸部３２の内端側に設けられた固定部３３を前記止着軸部１１の内端側に設けられた被固定部３５に固設する手段は、前記ロウ付手段によることの他、高周波溶着や超音波溶着等の溶着手段によってもよい。
【図面の簡単な説明】
【００３９】
【図１】本考案に係るパッド取付具を示す斜視図である。
【図２】パッド取付具を眼鏡フレームに固定した状態を示す断面図である。
【図３】パッド取付具を眼鏡フレームに固定した状態を示す斜視図である。
【図４】パッド取付具と眼鏡フレームとパッドを示す斜視図である。
【図５】パッド取付具を眼鏡フレームに固定した状態を示す背面図である。
【図６】パッド取付具を眼鏡フレームに固定した他の態様を示す背面図である。
【図７】パッド取付具の他の態様を示す正面図である。
【図８】そのパッド取付具を眼鏡フレームに固定した状態を示す背面図である。
【図９】パッド取付具のその他の実施例を示す正面図である。
【図１０】パッド取付具のその他の実施例を示す正面図である。
【図１１】パッド取付具のその他の実施例を示す正面図である。
【図１２】パッド取付具のその他の実施例を示す正面図である。
【図１３】パッド取付具のその他の実施例を示す斜視図である。
【図１４】パッド取付具を眼鏡フレームに固定した他の態様を示す背面図である。
【図１５】従来のパッド取付具を示す斜視図である。
【図１６】従来のパッド取付具を示す斜視図である。
【図１７】そのパッド取付具を眼鏡フレームに固定した状態を示す背面図である。
【図１８】そのパッド取付具の台座片を示す正面図である。
【図１９】従来のパッド取付具と眼鏡フレームとパッドを示す斜視図である。
【図２０】従来のパッド取付具の問題点を説明する説明図である。
【符号の説明】
【００４０】
１  パッド取付具
２  アーム片
３  回り止め片
５  眼鏡フレーム
６  レンズ保持枠部
７  内側枠部
１０  パッド
１１  止着軸部
２１  止着孔
２２  止着孔
３２  回り止め軸部
３３  固定部
３５  被固定部
３６  屈曲片
４１  屈曲片
【図１】
0003111109.tif 000003
【図２】
0003111109.tif 000004
【図３】
0003111109.tif 000005
【図４】
0003111109.tif 000006
【図５】
0003111109.tif 000007
【図６】
0003111109.tif 000008
【図７】
0003111109.tif 000009
【図８】
0003111109.tif 000010
【図９】
0003111109.tif 000011
【図１０】
0003111109.tif 000012
【図１１】
0003111109.tif 000013
【図１２】
0003111109.tif 000014
【図１３】
0003111109.tif 000015
【図１４】
0003111109.tif 000016
【図１５】
0003111109.tif 000017
【図１６】
0003111109.tif 000018
【図１７】
0003111109.tif 000019
【図１８】
0003111109.tif 000020
【図１９】
0003111109.tif 000021
【図２０】
0003111109.tif 000022